(57)【特許請求の範囲】
【請求項１】
複数の放電管に交流高電圧を供給するインバータトランスと、
前記インバータトランスの出力段に接続され、二次側並列共振動作により前記交流高電圧の供給時に流れる電流を検出する電流検出回路と、
前記電流検出回路により検出された電流に含まれる異常放電電流を検出する異常放電検出回路と、
を備え、
前記異常放電検出回路は、前記検出された電流を周波数帯域別に分割して前記異常放電電流を検出するフィルタ回路を備え、
前記フィルタ回路は、前記検出された電流から前記インバータの駆動周波数帯域の電流を阻止する帯域阻止フィルタ回路と、帯域阻止後の電流から前記異常放電電流の周波数帯域の電流を通過させる帯域通過フィルタ回路と、を備えることを特徴とするインバータ回路。
【請求項２】
前記電流検出回路は、前記インバータトランスの出力段の高圧側又は低圧側に直列に接続されて、前記二次側並列共振動作により前記電流を検出する電流検出トランスを備えることを特徴とする請求項１に記載のインバータ回路。
【請求項３】
前記異常放電検出回路は、前記検出された電流から前記インバータの駆動周波数帯域及び該駆動周波数帯域近傍の複数の電流を阻止する複数の帯域阻止フィルタ回路を備えることを特徴とする請求項１に記載のインバータ回路。
【請求項４】
複数の放電管と、
前記複数の放電管に交流高電圧を供給するインバータトランスと、
前記インバータトランスの出力段に接続され、前記交流高電圧の供給時に流れる電流を検出する電流検出回路と、
前記電流検出回路により検出された電流に含まれる異常放電電流を抽出する放電電流抽出回路と、
を備え、
前記異常放電検出回路は、前記検出された電流を周波数帯域別に分割して前記異常放電電流を検出するフィルタ回路を備え、
前記フィルタ回路は、前記検出された電流から前記インバータの駆動周波数帯域の電流を阻止する帯域阻止フィルタ回路と、帯域阻止後の電流から前記異常放電電流の周波数帯域の電流を通過させる帯域通過フィルタ回路と、を備えることを特徴とするバックライト装置。
【請求項５】
複数のゲートラインと、
前記複数のゲートラインと直交する複数のデータラインと、
前記複数のゲートラインと前記複数のデータラインに各々接続されたスイッチング素子と、
前記スイッチング素子に接続された液晶素子と、を備え、
所定の画像を表示する液晶表示パネルを有する液晶表示装置において、
請求項１に記載のインバータ回路を備えることを特徴とする液晶表示装置。
【請求項６】
複数のゲートラインと、
前記複数のゲートラインと直交する複数のデータラインと、
前記複数のゲートラインと前記複数のデータラインに各々接続されたスイッチング素子と、
前記スイッチング素子に接続された液晶素子と、を備え、
所定の画像を表示する液晶表示パネルを有する液晶表示装置において、
請求項４に記載のバックライト装置を備えることを特徴とする液晶表示装置。
【請求項７】
液晶表示パネルと前記液晶表示パネルに接続されるデータ回路及びゲート回路とを有するディスプレイユニットと、
複数の放電管を有するバックライトアセンブリと、前記バックライトアセンブリが収納される収納容器と、
前記液晶表示パネルの損傷を防止するためのトップシャーシと、
を備え、前記液晶表示パネルと前記バックライトアセンブリとの間に少なくとも１枚の光学シートが配置される液晶表示装置であって、
請求項１に記載のインバータ回路を備えることを特徴とする液晶表示装置。
【請求項８】
液晶表示パネルと前記液晶表示パネルに接続されるデータ回路及びゲート回路とを有するディスプレイユニットと、
複数の放電管を有するバックライトアセンブリと、前記バックライトアセンブリが収納される収納容器と、
前記液晶表示パネルの損傷を防止するためのトップシャーシと、
を備え、前記液晶表示パネルと前記バックライトアセンブリとの間に少なくとも１枚の光学シートが配置される液晶表示装置であって、
請求項４に記載のバックライト装置を備えることを特徴とする液晶表示装置。
【発明の詳細な説明】
【技術分野】
【０００１】
本発明は、液晶表示装置の光源に使用する複数の冷陰極管等の放電管及び該複数の放電管を点灯させるインバータ回路、該回路を備えたバックライト装置及びそれを用いた液晶表示装置に関する。
【背景技術】
【０００２】
従来、液晶表示装置(ＬＣＤ)は、軽量、薄型、低消費電力駆動等の機能が求められてきた。液晶表示装置は、自発光表示装置ではないため光源が必要になる。光源としては冷陰極管が使用されている。
【０００３】
冷陰極管は、蛍光ランプの一種であり正規グロー放電領域で動作する蛍光ランプである。冷陰極管は、交流高電圧を印加することにより点灯する。冷陰極管は、フィラメントによって予熱する方法に依らないため、熱陰極管と比較すると耐振動性が高く、ランプの径を細くすることが可能で、ランプ寿命が長いという特徴を有する。また、冷陰極管は、フィラメントにより予熱をしないために印加電圧を高くする必要がある。
【０００４】
冷陰極管を点灯させるための交流高電圧を発生させる回路としてはインバータ回路が用いられる。このような交流高電圧を使用するために、高電圧部とグランド間にコロナ放電やアーク放電等の異常放電が発生する場合がある。この異常放電は冷陰極管周辺部の部材を炭化させ、短絡、発火発煙に至る場合もありうる。
【０００５】
図１は、従来の液晶表示装置に用いられるバックライト装置１の構成例を示す図である。バックライト装置１は、交流高電圧を発生するインバータ回路２と、複数の冷陰極管を含む冷陰極管群３と、インバータ回路２から出力される交流高電圧を複数の冷陰極管に均等に分配する複数のバランスコンデンサＢＣを含むコンデンサ回路４と、を備える。このバックライト装置１は、冷陰極管の本数に応じた複数のバランスコンデンサＢＣを給電側に接続することにより、冷陰極管の負性抵抗特性によりタイミング的に先に点灯した冷陰極管に電流が集中することを防止し、複数の冷陰極管を均一に点灯する集中給電型のインバータ回路２を備えている。
【発明の開示】
【発明が解決しようとする課題】
【０００６】
上記図１に示した集中給電型のインバータ回路２を備えたバックライト装置１では、図中に示すように、冷陰極管の近傍等アーク放電が発生する場合がある。しかし、バランスコンデンサＢＣにより冷陰極管に流れる電流が制限されているため、アーク放電が発生してもインバータ回路２の出力電流Ｉｏはほとんど影響を受けない。このため、インバータ回路２の出力電流Ｉｏからアーク放電の有無を検出することは困難であった。図２は、インバータ回路２の出力電流Ｉｏをモニタした波形の一例を示す図である。図２において、（Ａ）はアーク放電が発生していない場合の出力電流Ｉｏのモニタ波形であり、（Ｂ）はアーク放電が発生した場合の出力電流Ｉｏのモニタ波形である。この図から明らかなように、アーク放電の発生有無による出力電流Ｉｏのモニタ波形の変化は小さいため、アーク放電を検出することは困難である。なお、冷陰極管の近傍等で発生するアーク放電は、周囲の部材を損傷する虞があるため、アーク放電を確実に検出してインバータ回路の給電動作を遮断する等の制御を行うことが望ましい。
【０００７】
本発明の目的は、インバータトランスの出力電流を検出し、検出した出力電流を周波数帯域別に分割してアーク放電等の高電圧異常放電を確実に検出するインバータ回路、バックライト装置及びそれを用いた液晶表示装置を提供することである。
【課題を解決するための手段】
【０００８】
本発明の一実施形態に係るインバータ回路によれば、複数の放電管に交流高電圧を供給するインバータトランスと、前記インバータトランスの出力段に接続され、二次側並列共振動作により前記交流高電圧の供給時に流れる電流を検出する電流検出回路と、前記電流検出回路により検出された電流に含まれる異常放電電流を検出する異常放電検出回路と、を備え、前記異常放電検出回路は、前記検出された電流を周波数帯域別に分割して前記異常放電電流を検出するフィルタ回路を備え、前記フィルタ回路は、前記検出された電流から前記インバータの駆動周波数帯域の電流を阻止する帯域阻止フィルタ回路と、帯域阻止後の電流から前記異常放電電流の周波数帯域の電流を通過させる帯域通過フィルタ回路と、を備えたことを特徴とする。
【０００９】
また、前記電流検出回路は、前記インバータトランスの出力段の高圧側又は低圧側に直列に接続されて、前記二次側並列共振動作により前記電流を検出する電流検出トランスを備えてもよい。
【００１２】
また、前記異常放電検出回路は、前記検出された電流から前記インバータの駆動周波数帯域及び該駆動周波数帯域近傍の複数の電流を阻止する複数の帯域阻止フィルタ回路を備えてもよい。
【００１３】
また、本発明の一実施形態に係るバックライト装置によれば、複数の放電管と、前記複数の放電管に交流高電圧を供給するインバータトランスと、前記インバータトランスの出力段に接続され、前記交流高電圧の供給時に流れる電流を検出する電流検出回路と、前記電流検出回路により検出された電流に含まれる異常放電電流を抽出する放電電流抽出回路と、を備え、前記異常放電検出回路は、前記検出された電流を周波数帯域別に分割して前記異常放電電流を検出するフィルタ回路を備え、前記フィルタ回路は、前記検出された電流から前記インバータの駆動周波数帯域の電流を阻止する帯域阻止フィルタ回路と、帯域阻止後の電流から前記異常放電電流の周波数帯域の電流を通過させる帯域通過フィルタ回路と、を備えたことを特徴とする。
【００１４】
また、本発明の一実施形態に係る液晶表示装置によれば、複数のゲートラインと、前記複数のゲートラインと直交する複数のデータラインと、前記複数のゲートラインと前記複数のデータラインに各々接続されたスイッチング素子と、前記スイッチング素子に接続された液晶素子と、を備え、所定の画像を表示する液晶表示パネルを有する液晶表示装置において、請求項１に記載のインバータ回路を備えたことを特徴とする。
【００１５】
また、本発明の一実施形態に係る液晶表示装置によれば、複数のゲートラインと、前記複数のゲートラインと直交する複数のデータラインと、前記複数のゲートラインと前記複数のデータラインに各々接続されたスイッチング素子と、前記スイッチング素子に接続された液晶素子と、を備え、所定の画像を表示する液晶表示パネルを有する液晶表示装置において、請求項４に記載のバックライト装置を備えたことを特徴とする。
【００１６】
また、本発明の一実施形態に係る液晶表示装置によれば、液晶表示パネルと前記液晶表示パネルに接続されるデータ回路及びゲート回路とを有するディスプレイユニットと、複数の放電管を有するバックライトアセンブリと、前記バックライトアセンブリが収納される収納容器と、前記液晶表示パネルの損傷を防止するためのトップシャーシと、を備え、前記液晶表示パネルと前記バックライトアセンブリとの間に少なくとも１枚の光学シートが配置される液晶表示装置であって、請求項１に記載のインバータ回路を備えたことを特徴とする。
【００１７】
また、本発明の一実施形態に係る液晶表示装置によれば、液晶表示パネルと前記液晶表示パネルに接続されるデータ回路及びゲート回路とを有するディスプレイユニットと、複数の放電管を有するバックライトアセンブリと、前記バックライトアセンブリが収納される収納容器と、前記液晶表示パネルの損傷を防止するためのトップシャーシと、を備え、前記液晶表示パネルと前記バックライトアセンブリとの間に少なくとも１枚の光学シートが配置される液晶表示装置であって、請求項４に記載のバックライト装置を備えることを特徴とする。
【発明の効果】
【００１８】
本発明の一実施形態に係るインバータ回路、バックライト装置及びそれを用いた液晶表示装置によれば、複数の冷陰極管に交流高電圧を供給する際に発生するアーク放電等の高電圧異常放電を確実に検出することができる。
【発明を実施するための最良の形態】
【００１９】
本発明の実施の形態について、以下、図面を参照して説明する。但し、本発明は多くの異なる態様で実施することが可能であり、以下に示す実施の形態及び実施例の記載内容に限定して解釈されるものではない。
【００２０】
（実施形態１）
以下、本発明の実施形態１に係るインバータ回路を適用したバックライト装置について、図面を参照しながら詳細に説明する。
【００２１】
図３は、本発明の実施形態１におけるインバータ回路を備えたバックライト装置の概略構成を示す図である。なお、図３において、上記図１に示したバックライト装置１と同一の構成部分には同一符号を付している。図３に示すバックライト装置１０は、インバータ回路部１１と、冷陰極管群３と、コンデンサ回路４と、を備える。
【００２２】
インバータ回路部１１は、後述するインバータ回路に含まれるインバータトランス１１１と、インバータ回路の出力電流Ｉｏを検出する電流検出トランス１１２と、帰還抵抗１１３と、バンドパスフィルタ（以下、ＢＰＦという）１１４と、を備える。
【００２３】
インバータトランス１１１は、後述するインバータ回路に含まれ、所望の共振周波数ｆの交流高電圧を発生する。電流検出トランス１１２は、インバータトランス１１１の出力段の低圧側（帰還抵抗１１３が接続された側）に接続されている。なお、電流検出トランス１１２は、図中に波線で示すように、インバータトランス１１１の出力段の高圧側に接続するようにしてもよい。電流検出トランス１１２は、二次側並列共振動作により上記交流高電圧が冷陰極管群３に供給される際に流れる出力電流Ｉｏに応じて帰還抵抗１１３に流れる帰還電流Ｉｆを検出し、その電流検出信号をＢＰＦ１１４に出力する。帰還抵抗１１３は、インバータトランス１１１の出力電流に応じた帰還電流を制御回路にフィードバックするための抵抗である。
【００２４】
ＢＰＦ１１４は、アーク放電発生時に電流検出信号に含まれるアークノイズ成分の周波数帯域を通過させる帯域通過特性を有するように構成されている。ＢＰＦ１１４は、電流検出トランス１１２から入力される電流検出信号からアークノイズ成分を抽出してアーク放電信号を外部の図示しない制御回路等に出力する。
【００２５】
図４は、上記インバータトランス１１１が発生する交流高電圧と、上記ＢＰＦ１１４が抽出するアークノイズ成分の周波数スペクトル分布の一例を示す図である。アークノイズは、交流高電圧の共振周波数ｆに対応する高調波２ｆ，３ｆ以外の帯域（低域側と高域側）に分布していることが分かる。本実施形態１では、ＢＰＦ１１４は、低域側のアークノイズ成分を抽出するものとする。
【００２６】
次に、実際のバックライト装置において、交流高電圧を供給した際の出力電流の周波数スペクトルを分析した具体例を図５及び図６を参照して説明する。
【００２７】
図５は、バックライト装置２０と、電流検出トランス１１２と、周波数スペクトル分析装置２００と、を接続した構成例を示す図である。バックライト装置２０は、冷陰極管群３の両側にバランスコンデンサＢＣを有するコンデンサ回路４，５を接続し、その両端部にインバータ回路により構成される交流電源６，７を接続した両側給電方式の構成としたものである。電流検出トランス１１２は、交流電源７の交流高電圧供給ライン（高圧側）に接続され、交流高電圧供給ラインに流れる電流を検出する。周波数スペクトル分析装置２００は、電流検出トランス１１２により検出された電流の周波数スペクトルを分析して表示する機能を有する。
【００２８】
図６は、周波数スペクトル分析装置２００において表示された検出電流の周波数スペクトルの分析結果を示す図である。図６において、インバータ共振周波数ｆを６０ｋＨｚとし、アーク放電が発生しない場合の検出電流波形の周波数スペクトルを「Ｎｏｒｍａｌ」として示し、アーク放電が発生した場合のアークノイズを含む検出電流波形の周波数スペクトルを「Ａｒｃ１〜３」として示している。
【００２９】
図６は、図５の交流高電圧供給ラインにおいて微小アーク放電が発生した場合の周波数スペクトルの分析結果を示したものである。図６において、「Ｎｏｒｍａｌ」及び「Ａｒｃ１〜３」の各周波数スペクトルを比較すると、３０ｋＨｚ付近で約３０ｄＢのレベル差が確認できる。したがって、フィルタ回路を用いて、電流検出トランス１１２により検出した電流のインバータ駆動周波数ｆを分離することにより、インバータ駆動周波数ｆの低域側に含まれるアークノイズ成分を十分に検出することが可能である。
【００３０】
次に、電流検出トランス１１２の出力段に接続するフィルタ回路の具体的な構成について、図７及び図８を参照して説明する。図７は、フィルタ回路と放電電位検出回路のブロックダイヤグラムを示す図である。図８は、図７のフィルタ回路のブロックダイヤグラムに対応する回路構成の一例を示す図である。
【００３１】
図７において、フィルタ回路は、帯域阻止フィルタ（ＢＥＦ：Ｂａｎｄ  Ｅｌｉｍｉｎａｔｅ  Ｆｉｌｔｅｒ、以下、ＢＥＦという）２１１〜２１３と、ＢＰＦ２１４と、を備える。これらのＢＥＦ２１１〜２１３及びＢＰＦ２１４は、インバータ回路の駆動周波数ｆである３０ｋＨｚを検出せず、図６に示したアークノイズの周波数帯域を検出するように、回路内のパラメータを調整されている。
【００３２】
ＢＥＦ２１１は、図８に示すように、ＩＣ１、コイルＬ１、コンデンサＣ１及び抵抗Ｒ３から構成される。ＢＥＦ２１１は、電流検出トランス１１２から入力される電流検出信号Ｉｄに含まれる３０ｋＨｚの信号成分を減衰させ、信号Ｉｅ１をＢＥＦ２１２に出力する。
【００３３】
ＢＥＦ２１２は、図８に示すように、ＩＣ１、コイルＬ３、コンデンサＣ３及び抵抗Ｒ５から構成される。ＢＥＦ２１２は、ＢＥＦ２１１から入力される信号Ｉｅ１に含まれる３２ｋＨｚの信号成分を減衰させ、信号Ｉｅ２をＢＥＦ２１３に出力する。
【００３４】
ＢＥＦ２１３は、図８に示すように、ＩＣ１、コイルＬ５、コンデンサＣ５及び抵抗Ｒ１１から構成される。ＢＥＦ２１３は、ＢＥＦ２１２から入力される信号Ｉｅ２に含まれる２８ｋＨｚの信号成分を減衰させ、信号Ｉｅ３をＢＰＦ２１４に出力する。
【００３５】
ＢＰＦ２１４は、図８に示すように、ＩＣ１、コイルＬ７、コンデンサＣ７及び抵抗Ｒ１３から構成される。ＢＰＦ２１４は、ＢＥＦ２１３から入力される信号Ｉｅ３に含まれる１５ｋＨｚのアークノイズ成分を抽出し、アークノイズ信号Ｉｐを放電電位検出回路２２０に出力する。
【００３６】
放電電位検出回路（異常放電検出回路）２２０は、アークノイズのレベルを比較するための閾値を設定し、ＢＰＦ２１４から入力されるアークノイズ信号Ｉｐのレベルと閾値とを比較して、アークノイズ信号Ｉｐのレベルが閾値を超えた場合に異常放電検出信号ＥＲＲを外部の制御回路等に出力する。
【００３７】
図９は、図８に示したＢＥＦ２１１〜２１３及びＢＰＦ２１４の各フィルタ特性を示す図である。なお、図中の四角内の数字は、図８のＢＥＦ２１１〜２１３及びＢＰＦ２１４内に各々示す四角内の数字に対応している。
【００３８】
図９において、ＢＥＦ２１１のフィルタ特性は、四角「１」により指し示すプロット□（白四角形）であり、３０ｋＨｚの信号成分が減衰されている。ＢＥＦ２１２のフィルタ特性は、四角「２」により指し示すプロット◇（白菱形）であり、３２ｋＨｚの信号成分が減衰されている。ＢＥＦ２１３のフィルタ特性は、四角「３」により指し示すプロット▽（白逆三角形）であり、２８ｋＨｚの信号成分が減衰されている。ＢＰＦ２１４のフィルタ特性は、四角「４」により指し示すプロット▲（黒三角形）であり、１５ｋＨｚの信号成分が抽出されている。また、図９において、四角「８」により指し示すプロット●（黒丸）は、ＢＥＦ２１１〜２１３及びＢＰＦ２１４の各フィルタ特性を合成したフィルタ特性を示している。
【００３９】
以上のように、本実施形態１では、バランスコンデンサＢＣを用いて複数の冷陰極管に交流高電圧を均等に供給する集中給電型のインバータ回路部１１を備えたバックライト装置１０において、インバータトランス１１１の後段である交流高電圧の供給ラインに電流検出トランス１１２を接続し、電流検出トランス１１２の出力段にアークノイズ信号を抽出するフィルタ回路を接続する構成とした。フィルタ回路は、インバータ駆動周波数ｆ及びインバータ駆動周波数ｆ近傍の周波数スペクトルを阻止する複数のＢＥＦ２１１〜２１３と、アークノイズ成分を抽出するＢＰＦ２１４により構成した。
【００４０】
したがって、集中給電型のインバータ回路において、冷陰極管群３の近傍でアーク放電が発生した場合、交流高電圧の供給ラインに流れる出力電流Ｉｏに重畳するアークノイズ成分を確実に検出することが可能になる。また、アーク放電が発生した場合に、上記放電電位検出回路２２０からインバータ回路の動作を制御する制御回路等に対して、異常放電検出信号ＥＲＲを確実に出力することができる。その結果、アーク放電が発生した場合に、インバータ回路の動作を直ちに停止させる等の対策を実行することが可能になり、バックライト装置内の部材の損傷等を未然に防止することが可能になる。
【００４１】
（実施形態２）
以下、本発明の実施形態２に係るインバータ回路を適用したバックライト装置について、図面を参照しながら詳細に説明する。なお、本発明の実施形態２に係るバックライト装置の概略構成は、上記図３に示したバックライト装置１０と同様の構成であるため、その図示及び構成説明は省略する。また、本発明の実施形態２に係るインバータ回路では、上記実施形態１と同様にインバータ駆動周波数ｆは３０ｋＨｚに設定するものとする。
【００４２】
図１０は、本発明の実施形態２のインバータ回路に接続される電流検出トランス１１２の等価回路と、ＢＥＦ３１１〜３１３、ＢＰＦ３１４、及び放電電位検出回路３１５の各回路構成の一例を示す図である。なお、図１０において、上記図３に示したバックライト装置１と同一の構成部分には同一符号を付している。
【００４３】
ＢＥＦ３１１〜３１３及びＢＰＦ３１４は、フィルタ回路を構成する。ＢＥＦ３１１は、コンデンサＣ３４，Ｃ３５、コイルＬ９、抵抗Ｒ１９，Ｒ２２，Ｒ３０及びオペアンプＩＣ２から構成される。ＢＥＦ３１１は、電流検出トランス１１２から入力される電流検出信号Ｉｄに含まれる３０ｋＨｚの信号成分を減衰させ、信号Ｉｅ１をＢＥＦ３１２に出力する。
【００４４】
ＢＥＦ３１２は、コンデンサＣ３６、コイルＬ１０、抵抗Ｒ２３，Ｒ２４，Ｒ３１及びオペアンプＩＣ３から構成される。ＢＥＦ３１２は、ＢＥＦ３１１から入力される信号Ｉｅ１に含まれる３２ｋＨｚの信号成分を減衰させ、信号Ｉｅ２をＢＥＦ３１３に出力する。
【００４５】
ＢＥＦ３１３は、コンデンサＣ３７、コイルＬ１１、抵抗Ｒ２５，Ｒ２６，Ｒ３２及びオペアンプＩＣ４から構成される。ＢＥＦ３１３は、ＢＥＦ３１２から入力される信号Ｉｅ２に含まれる２８ｋＨｚの信号成分を減衰させ、信号Ｉｅ３をＢＰＦ３１４に出力する。
【００４６】
ＢＰＦ３１４は、コンデンサＣ２９，Ｃ３２、コイルＬ１２、抵抗Ｒ２０，Ｒ２７，Ｒ２９，Ｒ３３及びオペアンプＩＣ５から構成される。ＢＰＦ３１４は、ＢＥＦ３１３から入力される信号Ｉｅ３に含まれる１５ｋＨｚのアークノイズ成分を抽出し、アークノイズ信号Ｉｐを放電電位検出回路３１５に出力する。
【００４７】
放電電位検出回路３１５は、コンデンサＣ３８，Ｃ３９、抵抗Ｒ８及びダイオードＤ６，Ｄ７から構成される。放電電位検出回路３１５は、アークノイズのレベルを比較するための閾値を設定し、ＢＰＦ３１４から入力されるアークノイズ信号Ｉｐのレベルと閾値とを比較して、アークノイズ信号Ｉｐのレベルが閾値を超えた場合に異常放電検出信号ＥＲＲを外部の制御回路等に出力する。
【００４８】
図１１は、図１０に示したＢＥＦ３１１〜３１３及びＢＰＦ３１４の各フィルタ特性を示す図である。なお、図中の四角内の数字は、図１０のＢＥＦ３１１〜３１３及びＢＰＦ３１４内に各々示す四角内の数字に対応している。
【００４９】
図１１において、ＢＥＦ３１１のフィルタ特性は、四角「５」により指し示すプロット□（白四角形）であり、３０ｋＨｚの信号成分が減衰されている。ＢＥＦ３１２のフィルタ特性は、四角「６」により指し示すプロット◇（白菱形）であり、３２ｋＨｚの信号成分が減衰されている。ＢＥＦ３１３のフィルタ特性は、四角「７」により指し示すプロット▽（白逆三角形）であり、２８ｋＨｚの信号成分が減衰されている。ＢＰＦ３１４のフィルタ特性は、四角「８」により指し示すプロット△（白三角形）であり、１５ｋＨｚの信号成分が抽出されている。
【００５０】
以上のように、本実施形態２では、バランスコンデンサＢＣを用いて複数の冷陰極管に交流高電圧を均等に供給する集中給電型のインバータ回路部１１を備えたバックライト装置１０において、インバータトランス１１１の後段である交流高電圧の供給ラインに電流検出トランス１１２を接続し、電流検出トランス１１２の出力段にアークノイズ信号を抽出するフィルタ回路を接続する構成とした。フィルタ回路は、インバータ駆動周波数ｆ及びインバータ駆動周波数ｆ近傍の周波数スペクトルを阻止する複数のＢＥＦ３１１〜３１３と、アークノイズ成分を抽出するＢＰＦ３１４により構成した。
【００５１】
したがって、集中給電型のインバータ回路において、冷陰極管群３の近傍でアーク放電が発生した場合、交流高電圧の供給ラインに流れる出力電流Ｉｏに重畳するアークノイズ成分を確実に検出することが可能になる。また、アーク放電が発生した場合に、上記放電電位検出回路３１５からインバータ回路の動作を制御する制御回路等に対して、異常放電検出信号ＥＲＲを確実に出力することができる。その結果、アーク放電が発生した場合に、インバータ回路の動作を直ちに停止させる等の対策を実行することが可能になり、バックライト装置内の部材の損傷等を未然に防止することが可能になる。
【００５２】
次に、上記図１０に示したフィルタ回路を適用したバックライト装置の具体的な回路構成例について、図面を参照しながら詳細に説明する。
【００５３】
図１２は、上記図１０に示したフィルタ回路を適用したバックライト装置３００の回路構成例を示す図である。図１２において、インバータ回路１１は、ドライブ回路３０１と、帰還電流検出回路３０２と、アークノイズ用電源３０３と、インバータトランス（Ｔ１）１１１と、を備える。
【００５４】
ドライブ回路３０１は、同一周期で位相が異なるパルス電圧を各々発生する電源Ｖ１，Ｖ２と、電源Ｖ１，Ｖ２から発生する各パルス電圧によりスイッチングされるＭＯＳ−ＦＥＴ等により構成されるスイッチ素子Ｓ１，Ｓ２と、スイッチ素子Ｓ１，Ｓ２によりスイッチングされた各交流電圧を各々半端整流してインバータトランス１１１に供給するダイオードＤ１〜Ｄ４により構成されるブリッジ回路と、コンデンサＣ２５〜Ｃ２７と、を備える。
【００５５】
帰還電流検出回路３０２は、ダイオードＤ５、抵抗Ｒ２〜Ｒ４及びコンデンサＣ２８により構成される。帰還電流検出回路３０２は、図中の帰還電流検出ポイントＤＥＴに流れるインバータトランス１１１の出力電流（又は、ランプ電流と呼称する）を検出し、帰還電流検出信号ＩＳとして外部の制御回路等に出力する。
【００５６】
アークノイズ用電源３０３は、上記微小アーク放電に相当する電圧Ｖ３を交流高電圧の供給ラインに印加するためのテスト動作用電源である。
【００５７】
冷陰極管群３は、２４本の冷陰極管ＬＡ１〜ＬＡ２４を備えた場合を示している。コンデンサ回路４は、バランスコンデンサＣ１〜Ｃ２４から構成される。
【００５８】
図１２において、フィルタ回路は図１０に示したものと同一構成であるため、構成説明は省略する。
【００５９】
次に、図１２のバックライト装置３００において、アーク放電の有無に応じたフィルタ回路内の各ポイントＰ１〜Ｐ５，Ｚ９の入出力波形と、ＢＰＦ３１４のアーク検出波形と、放電電位検出回路３１５のレベル検出波形と、帰還電流検出回路３０２のランプ電流検出波形（出力電流検出波形）と、について、図１３〜図１６を参照して説明する。
【００６０】
まず、アーク放電無しの場合について図１３及び図１４を参照して説明する。図１３（Ａ）は、アーク放電無しの場合のＢＥＰ３１２，３１３の各出力波形を示す図である。図１３（Ｂ）は、アーク放電無しの場合のＢＥＰ３１１〜３１３及びＢＰＦ３１４の各出力波形を示す図である。図１４（Ａ）は、アーク放電無しの場合のＢＰＦ３１４のアーク検出波形と放電電位検出回路３１５の検出レベルを示す図である。図１４（Ｂ）は、アーク放電無しの場合の帰還電流検出回路３０２のランプ電流検出波形（出力電流検出波形）を示す図である。図１３（Ａ）（Ｂ）及び図１４（Ａ）（Ｂ）において、横軸は時間（Ｔｉｍｅ（ｍｓ））、縦軸は電位（Ｖ）である。
【００６１】
図１３（Ａ）において、「Ｖ（Ｐ３）」として示す波形（実線）はＢＥＰ３１２の出力波形であり、「Ｖ（Ｐ４）」として示す波形（点線）はＢＥＰ３１３の出力波形である。すなわち、「Ｖ（Ｐ３）」は、上述したようにＢＥＰ３１１においてインバータ駆動周波数ｆである３０ｋＨｚの信号成分が減衰された後、更に、ＢＥＰ３１２において３２ｋＨｚの信号成分を減衰させた後、図１２のＢＥＰ３１２の出力ポイントＰ３から出力される電圧波形である。また、「Ｖ（Ｐ４）」は、「Ｖ（Ｐ３）」に対してＢＥＰ３１３において２８ｋＨｚの信号成分を減衰させた後、図１２のＢＥＰ３１３の出力ポイントＰ４から出力される電圧波形である。
【００６２】
図１３（Ｂ）において、「ａｂｓ（Ｖ（Ｐ１））」として示す波形（実線）はＢＥＰ３１１の入力波形であり、「Ｖ（Ｐ２）」として示す波形（点線）はＢＥＰ３１１の出力波形であり、「Ｖ（Ｐ３）」として示す波形（点線）はＢＥＰ３１２の出力波形であり、「Ｖ（Ｐ４）」として示す波形（実線）はＢＥＰ３１３の出力波形であり、「ａｂｓ（Ｖ（Ｐ５））」として示す波形（太実線）はＢＰＦ３１４の入力波形である。
【００６３】
すなわち、「ａｂｓ（Ｖ（Ｐ１））」は、図１２の帰還電流検出回路３０２からＢＥＰ３１１の入力ポイントＰ１に入力されるランプ電流検出信号（出力電流検出信号）の電圧波形である。「Ｖ（Ｐ２）」は、ＢＥＰ３１１においてランプ電流検出信号（出力電流検出信号）の３０ｋＨｚ（インバータ駆動周波数ｆ）の信号成分を減衰させて、図１２のＢＥＰ３１１の出力ポイントＰ２からから出力される電圧波形である。「Ｖ（Ｐ３）」及び「Ｖ（Ｐ４）」は、上述した図１３（Ａ）に示した「Ｖ（Ｐ３）」「Ｖ（Ｐ４）」と同様の波形である。「ａｂｓ（Ｖ（Ｐ５））」は、「Ｖ（Ｐ４）」がＢＰＦ３１４内の抵抗Ｒ３３、コイルＬ１２及びコンデンサＣ３２から成るインピーダンス成分により電位及び位相が変化した後の図１２のＢＰＦ３１４内のポイントＰ５における電圧波形である。
【００６４】
図１４（Ａ）において、「アーク検出波形：Ｖ（Ｚ９）」として示す波形はＢＰＦ３１４から出力される１５ｋＨｚのアークノイズ成分を抽出した信号の電圧波形であり、「レベル検出出力」として示す波形は放電電位検出回路３１５から出力される異常放電検出信号ＥＲＲの電圧波形であり、「３Ｖ」は異常放電検出信号ＥＲＲの検出レベルを示すものである。また、図１４（Ａ）において、「レベル検出閾値：６Ｖ」は放電電位検出回路３１５から出力される異常放電検出信号ＥＲＲを、制御回路において異常放電として検出する閾値を示すものである。
【００６５】
図１４（Ａ）では、アーク放電無しの場合であるため、放電電位検出回路３１５から出力される異常放電検出信号ＥＲＲの検出レベルは「３Ｖ」であり、制御回路では異常放電とは判定されない。
【００６６】
図１４（Ｂ）は、アーク放電無しの場合の帰還電流検出回路３０２から出力されるランプ電流検出信号（出力電流検出信号）の電圧波形である。
【００６７】
次に、アーク放電有りの場合について図１５及び図１６を参照して説明する。図１５（Ａ）は、アーク放電有りの場合のＢＥＰ３１２，３１３の各出力波形を示す図である。図１５（Ｂ）は、アーク放電有りの場合のＢＥＰ３１１〜３１３及びＢＰＦ３１４の各出力波形を示す図である。図１６（Ａ）は、アーク放電有りの場合のＢＰＦ３１４のアーク検出波形と放電電位検出回路３１５の検出レベルを示す図である。図１６（Ｂ）は、アーク放電有りの場合の帰還電流検出回路３０２のランプ電流検出波形（出力電流検出波形）を示す図である。図１３（Ａ）（Ｂ）及び図１４（Ａ）（Ｂ）において、横軸は時間（Ｔｉｍｅ（ｍｓ））、縦軸は電位（Ｖ）である。
【００６８】
図１５（Ａ）は、上述した図１３（Ａ）と同様の波形であり、アーク放電有りの場合を示している。図１５（Ｂ）は、上述した図１３（Ｂ）と同様の波形であり、アーク放電有りの場合を示している。図１６（Ａ）において、「アーク検出波形：Ｖ（Ｚ９）」として示す波形はＢＰＦ３１４から出力される１５ｋＨｚのアークノイズ成分を抽出した信号の電圧波形であり、「レベル検出出力：Ｖ（ＥＲＲ）」として示す波形は放電電位検出回路３１５から出力される異常放電検出信号ＥＲＲの電圧波形である。また、図１６（Ａ）において、「３Ｖ」及び「レベル検出閾値：６Ｖ」は、上述した図１４（Ａ）と同様である。
【００６９】
図１６（Ａ）では、アーク放電有りの場合であるため、放電電位検出回路３１５から出力される異常放電検出信号ＥＲＲの検出レベルは「レベル検出閾値：６Ｖ」を超えており、制御回路では異常放電と判定されて、インバータ回路１１に対する電源供給の遮断動作等が行われる。
【００７０】
図１６（Ｂ）は、アーク放電有りの場合の帰還電流検出回路３０２から出力されるランプ電流検出信号（出力電流検出信号）の電圧波形である。
【００７１】
以上のように、図１２に示したバックライト装置３００において、帰還電流検出回路３０２の後段にフィルタ回路として、インバータ駆動周波数ｆ及びインバータ駆動周波数ｆ近傍の周波数スペクトルを阻止する複数のＢＥＦ３１１〜３１３及びアークノイズ成分を抽出するＢＰＦ３１４を接続し、ＢＰＦ３１４の後段にアークノイズの電圧レベルを検出する放電電位検出回路３１５を接続する構成とした。
【００７２】
したがって、集中給電型のインバータ回路において、冷陰極管群３の近傍でアーク放電が発生した場合、交流高電圧の供給ラインに流れる出力電流Ｉｏに重畳するアークノイズ成分を確実に検出することが可能になる。また、アーク放電が発生した場合に、上記放電電位検出回路３１５からインバータ回路の動作を制御する制御回路等に対して、異常放電検出信号ＥＲＲを確実に出力することができる。その結果、アーク放電が発生した場合に、インバータ回路の動作を直ちに停止させる等の対策を実行することが可能になり、バックライト装置内の部材の損傷等を未然に防止することが可能になる。
【００７３】
次に、上記図１２に示したバックライト装置３００を含む液晶表示装置について図１７に示すブロック図を参照して説明する。図１７に示すように、液晶表示装置４００は、ＡＣ／ＤＣ電源装置４１０と、ＬＣＤモジュール部４２０と、インバータ部５０１と、バックライト部５０１と、を備える。
【００７４】
ＡＣ／ＤＣ電源装置４１０は、コンセント４１１、ＡＣ／ＤＣ整流部４１２、及びＤＣ／ＤＣコンバータ４１３から構成され、外部の商用交流電源電圧１００Ｖ又は２４０Ｖを直流電源電圧に変換してＬＣＤモジュール部４２０に出力する。
【００７５】
ＬＣＤモジュール部４２０は、ＤＣ／ＤＣコンバータ４２１、共通電極電圧発生部（Ｖｃｏｍ発生部）４２２、γ電圧発生部４２３、ＬＣＤパネル部４２４、及びバックライト装置５００から構成され、外部のグラフィックコントローラ（図示せず）から入力される画像データに応じた画像を表示する。
【００７６】
共通電極電圧発生部４２２は、ＤＣ／ＤＣコンバータ４２１においてレベル変換されて供給される直流電圧に基づいて共通電極電圧Ｖｃｏｍを発生してＬＣＤパネル部４２４に出力する。
【００７７】
γ電圧発生部４２３は、ＤＣ／ＤＣコンバータ４２１においてレベル変換された直流電圧に基づいてγ電圧Ｖｄｄを発生してＬＣＤパネル部４２４に供給する。図１７では、共通電極電圧発生部４２２とγ電圧発生部４２３がＬＣＤパネル部４２４から分離されている例を示したが、これらをＬＣＤパネル部４２４に含ませて構成することもできる。
【００７８】
バックライト装置５００は、インバータ部５０１及びバックライト部５０２から構成される。インバータ部５０１には、上記図１２に示したインバータ回路１１、フィルタ回路であるＢＥＰ３１１〜３１３及びＢＰＦ３１４、及び放電電位検出回路３１５が含まれる。バックライト部５０２には、上記図１２に示した冷陰極管群３及びコンデンサ回路４が含まれる。
【００７９】
液晶表示装置４００は、バックライト装置５００内のインバータ部５０２に上述したフィルタ回路であるＢＥＰ３１１〜３１３及びＢＰＦ３１４と、放電電位検出回路３１５を備えたため、バックライト部５０２でアーク放電が発生した場合、インバータ部５０１内のＢＥＰ３１１〜３１３及びＢＰＦ３１４及び放電電位検出回路３１５により交流高電圧の供給ラインに発生するアークノイズ成分を検出することが可能である。なお、ＡＣ／ＤＣ電源装置４１０をＬＣＤモジュール部４２０に内蔵させてもよい。
【００８０】
図１８は、図１７に示した液晶表示装置４００に係る要部構成を示すブロック図である。なお、図１８において、上記図３、図１２及び図１７に示した構成と同一の構成部分には同一符号を付している。図１８に示す液晶表示装置６００は、発振部６０１、制御部６０２、インバータ回路１１、インバータトランス１１１、バックライト部５０２、電流検出トランス１１２、フィルタ回路６０４、及び放電電位検出回路３１５を備える。なお、図中の６０３は、インバータトランス１１１からバックライト部５０２に供給される交流高電圧を示す。
【００８１】
液晶表示装置６００では、バックライト部５０２においてアーク放電が発生すると、上記電流検出トランス１１２、フィルタ回路６０４（ＢＥＰ３１１〜３１３及びＢＰＦ３１４を含む）及び放電電位検出回路３１５によりアークノイズ成分が検出されて、放電電位検出回路３１５から制御部６０２に対して異常放電検出信号ＥＲＲが出力される。
【００８２】
制御部６０２は、放電電位検出回路３１５から異常放電検出信号ＥＲＲが入力されると、例えば、インバータ回路１１の動作を停止して、インバータトランス１１１からバックライト部５０２に対する交流高電圧の供給を停止させる。このように、アーク放電の発生時に直ちにインバータ回路１１及びインバータトランス１１１の動作を停止させることにより、アーク放電に伴う不具合を確実に回避することが可能になる。
【００８３】
さらに、上記実施形態１又は２に示したインバータ回路及びバックライト装置は、以下に示す液晶表示装置の構造に組み入れることにより、液晶表示装置全体としての機能を高めることができる。
【００８４】
図１９は、実施形態２に係る液晶表示装置の構造を示す分解斜視図である。図１９は、液晶表示装置の回路構成ではなく、機構を図示したものである。図１９に示すように、液晶表示装置７００は、バックライトアセンブリ７１０、ディスプレイユニット７７０及び収納容器７８０を備える。
【００８５】
ディスプレイユニット７７０は、映像を表示する液晶表示パネル７７１、液晶表示パネル７７１を駆動するための駆動信号を出力するデータ印刷回路７７２及びゲート印刷回路７７３を含む。データ印刷回路７７２及びゲート印刷回路７７３は、それぞれデータテープキャリアパッケージ（Ｔａｐｅ  Ｃａｒｒｉｅｒ  Ｐａｃｋａｇｅ、以下、ＴＣＰという）７７４及びゲートＴＣＰ７７５を通じて液晶表示パネル７７１と電気的に連結される。
【００８６】
液晶表示パネル７７１は、薄膜トランジスタ（以下、ＴＦＴという）基板７７６、ＴＦＴ基板７７６に対向して結合されるカラーフィルタ基板７７７及び両基板７７６、７７７の間に介在されて液晶７７８を含む。
【００８７】
ＴＦＴ基板７７６は、例えば、スイッチング素子であるＴＦＴ（図示せず）がマトリクス状に形成された透明なガラス基板である。ＴＦＴのソース及びゲート端子には、それぞれデータ及びゲートラインが接続され、ドレイン端子には透明な導電性材質からなる共通電極（図示せず）が形成される。
【００８８】
カラーフィルタ基板７７７は、例えば、色画素であるＲＧＢ画素（図示せず）が薄膜工程によって形成された基板である。カラーフィルタ基板７７７は、透明な導電性材質からなる共通電極（図示せず）が形成される。
【００８９】
収容容器７８０は、底面７８１及び底面７８１のエッジ部に収納空間を形成するために形成された側壁７８２により構成される。収容容器７８０は、バックライトアセンブリ７１０及び液晶表示パネル７７１が移動しないように固定する。
【００９０】
底面７８１は、バックライトアセンブリ７１０が装着されるのに十分な底面面積を有し、バックライトアセンブリ７１０と同じ構成を有することが好ましい。この例では、底面７８１及びバックライトアセンブリ７１０は、四角いプレート形状を有する。側壁７８２は、バックライトアセンブリ７１０が外部に離脱することのないように底面７８１のエッジ部から略垂直に延長される。
【００９１】
この例における液晶表示装置７００は、インバータ７６０及びトップシャーシ７９０をさらに含む。
【００９２】
インバータ７６０は、収容容器７８０の外部に配置され、バックライトアセンブリ７１０を駆動するための放電電圧を発生させる。インバータ７６０から発生された放電電圧は、第１電源印加線７６３及び第２電源印加線７６４を通じてバックライトアセンブリ７１０に印加される。第１電源印加線７６３及び第２電源印加線７６４は、バックライトアセンブリ７１０の両側部に形成された第１電極７４０ａ及び第２電極７４０ｂに直接接続してもよいし、別の部材（図示せず）を利用して第１電極７４０ａ及び第２電極７４０ｂに接続してもよい。また、上記電流検出トランス１１２、フィルタ回路６０４及び放電電位検出回路３１５は、インバータ７６０に内蔵される。
【００９３】
トップシャーシ７９０は、液晶表示パネル７７１のエッジ部を囲みながら収容容器７８０に結合される。トップシャーシ７９０を設けることにより、外部からの衝撃に対する液晶表示パネル７７１の破損を防止し、液晶表示パネル７７１が収容容器７８０から離脱することを防止することができる。
【００９４】
この液晶表示装置７００は、バックライトアセンブリ７１０から出射される光の特性を向上させるための少なくとも一枚の光学シート７９５をさらに含んでもよい。光学シート７９５は、光を拡散するための拡散シート又は光を集光するためのプリズムシートを含んでもよい。
【００９５】
なお、上記各実施形態１、２に示したバックライト装置では、バランスコンデンサを用いた集中給電型のインバータ回路に対して、本発明を適用した場合を示したが、他の構成の集中給電型のインバータ回路に対しても本発明は適用可能である。また、上記各実施形態１、２に示したバックライト装置では、バックライト部にて発生するアーク放電を検出する場合を示したが、アーク放電に限るものではなく、例えば、コロナ放電等の高電圧異常放電を検出することも可能である。
【図面の簡単な説明】
【００９６】
【図１】従来のバックライト装置の構成例を示す図である。
【図２】（Ａ）は正常時のインバータ出力電流Ｉｏのモニタ波形を示す図、（Ｂ）はアーク放電時のインバータ出力電流Ｉｏのモニタ波形を示す図である。
【図３】本発明の実施形態１に係るバックライト装置の概略構成を示す図である。
【図４】本発明の実施形態１に係る交流高電圧とアークノイズの周波数スペクトル分布の一例を示す図である。
【図５】本発明の実施形態１に係る両側給電方式のバックライト装置に電流検出トランスと周波数スペクトル分析装置を接続した例を示す図である。
【図６】本発明の実施形態１に係る図５の周波数スペクトル分析装置による周波数スペクトルの分析結果を示す図である。
【図７】本発明の実施形態１に係るフィルタ回路及び放電電位検出回路のブロックダイヤグラムを示す図である。
【図８】本発明の実施形態１に係る図７のフィルタ回路のブロックダイヤグラムに対応する回路構成の一例を示す図である。
【図９】本発明の実施形態１に係る図８のＢＥＦ及びＢＰＦの各フィルタ特性を示す図である。
【図１０】本発明の実施形態２に係るインバータ回路に接続される電流検出トランスの等価回路と、ＢＥＦ、ＢＰＦ、及び放電電位検出回路の各回路構成の一例を示す図である。
【図１１】本発明の実施形態２に係る図１０のＢＥＦ及びＢＰＦの各フィルタ特性を示す図である。
【図１２】本発明の実施形態２に係るバックライト装置の具体的な回路構成を示す図である。
【図１３】本発明の実施形態２に係る（Ａ）はアーク放電無しの場合の各ＢＥＰの出力波形を示す図、（Ｂ）はアーク放電無しの場合の各ＢＥＰ及びＢＰＦの各出力波形を示す図である。
【図１４】本発明の実施形態２に係る（Ａ）はアーク放電無しの場合のＢＰＦのアーク検出波形と放電電位検出回路の検出レベルを示す図、（Ｂ）はアーク放電無しの場合の帰還電流検出回路のランプ電流検出波形（出力電流検出波形）を示す図である。
【図１５】本発明の実施形態２に係る（Ａ）はアーク放電有りの場合の各ＢＥＰの出力波形を示す図、（Ｂ）はアーク放電有りの場合の各ＢＥＰ及びＢＰＦの各出力波形を示す図である。
【図１６】本発明の実施形態２に係る（Ａ）はアーク放電有りの場合のＢＰＦのアーク検出波形と放電電位検出回路の検出レベルを示す図、（Ｂ）はアーク放電有りの場合の帰還電流検出回路のランプ電流検出波形（出力電流検出波形）を示す図である。
【図１７】本発明の実施形態２に係る液晶表示装置の構成を示すブロック図である。
【図１８】本発明の実施形態２に係る液晶表示装置の要部構成を示すブロック図である。
【図１９】本発明の実施形態２に係る液晶表示装置の構造を示す分解斜視図である。
【符号の説明】
【００９７】
１０、２０、３００、５００    バックライト装置
３    冷陰極管群
１１    インバータ回路
１１１    インバータトランス
１１２    電流検出トランス
２１１、３１１    ＢＥＰ
２１２、３１２    ＢＥＰ
２１３、３１３    ＢＥＰ
２１４、３１４    ＢＰＦ
２２０、３１５    放電電位検出回路
４００、６００、７００    液晶表示装置
４２０  ＬＣＤモジュール部
５０１    インバータ部
５０２    バックライト部
６０４    フィルタ回路
７１０    バックライトアセンブリ
７６０    インバータ
７７０    ディスプレイユニット
７７１    液晶表示パネル
７７２    データ印刷回路
７７３    ゲート印刷回路
７８０    収容容器
７９０    トップシャーシ
【図１】
0005254665.tif 000002
【図２】
0005254665.tif 000003
【図３】
0005254665.tif 000004
【図４】
0005254665.tif 000005
【図５】
0005254665.tif 000006
【図６】
0005254665.tif 000007
【図７】
0005254665.tif 000008
【図８】
0005254665.tif 000009
【図９】
0005254665.tif 000010
【図１０】
0005254665.tif 000011
【図１１】
0005254665.tif 000012
【図１２】
0005254665.tif 000013
【図１３】
0005254665.tif 000014
【図１４】
0005254665.tif 000015
【図１５】
0005254665.tif 000016
【図１６】
0005254665.tif 000017
【図１７】
0005254665.tif 000018
【図１８】
0005254665.tif 000019
【図１９】
0005254665.tif 000020